(57)【要約】【課題】コンテンツ出力物に対してコンテンツ提供者が意図した品質（色再現）での出力を保証することができる画像形成システム、画像形成方法、コンテンツ提供システム及びコンテンツ提供方法を提供する。【解決手段】コンテンツは受付部３８により受け付けられ、プリンタ部２２から出力される。コンテンツ出力物は、スキャナ部２４により読み取られ、指定エリア計測部５４で指定エリアの色情報が計測される。送られたコンテンツの所定エリアの色と指定エリア計測部５４で計測された色とが比較される。【選択図】図２
2006080858.tif 000002
【特許請求の範囲】
【請求項１】
色情報が付されたコンテンツを受け付ける受付手段と、この受付手段により受け付けられたコンテンツをプリントしてコンテンツ出力物を出力するプリント手段と、画像を読み取るスキャナ手段と、前記受付手段により受け付けられたコンテンツの色情報と、前記スキャナ手段により読み取られたコンテンツ出力物の色情報とを比較する比較手段とを有する画像形成システム。
【請求項２】
前記受付手段により受け付けられるコンテンツの色情報は目標とする色範囲情報であって、前記比較手段は、この色範囲にコンテンツ出力物の色が入っているか否かを判定する請求項１記載の画像形成システム。
【請求項３】
前記受付手段により受け付けられるコンテンツには、さらに該コンテンツを特定する特定情報を含み、前記プリント手段は、該特定情報をコンテンツ出力物と共に出力する請求項１又は２記載の画像形成システム。
【請求項４】
前記比較手段の比較結果を表示する表示手段をさらに有する請求項１乃至３いずれか記載の画像形成システム。
【請求項５】
前記比較手段の比較結果に応じて前記プリント手段の出力を補正する補正手段を有する請求項１乃至４いずれか記載の画像形成システム。
【請求項６】
さらに課金手段を有し、前記比較手段の比較結果に応じて使用料金を調整する請求項１乃至５いずれか記載の画像形成システム。
【請求項７】
前記比較手段の比較結果に応じて色調整時期を判定する色調整時期判定手段を有する請求項１乃至６いずれか記載の画像形成システム。
【請求項８】
前記色調整時期判定手段の判定結果、色調整時期であると判定された場合、その旨を表示する表示手段を有する請求項７記載の画像形成システム。
【請求項９】
色情報が付されたコンテンツを受信し、この受信されたコンテンツをプリントしてコンテンツ出力物を出力し、この出力されたコンテンツ出力物を読み取り、受信したコンテンツ色情報と、読み取られた色情報とを比較する画像形成方法。
【請求項１０】
コンテンツが格納されたコンテンツサーバと、コンテンツをプリントしてコンテンツ出力物を出力するプリント手段と、画像を読み取るスキャナ手段とを有するコンテンツ提供システムにおいて、前記コンテンツサーバから送信されたコンテンツには色情報が付され、このコンテンツの色情報と、前記スキャナ手段により読み取られたコンテンツ出力物の色情報とを比較する比較手段を有するコンテンツ提供システム。
【請求項１１】
コンテンツサーバから送信される色情報は、目標とする色範囲情報であり、前記比較手段は、この色範囲に前記スキャナ手段により読み取られたコンテンツ出力物の色が入っているか否かを判定する請求項１０記載のコンテンツ提供システム。
【請求項１２】
前記コンテンツサーバからのコンテンツには、さらに該コンテンツを特定する特定情報を含み、前記プリント手段は、該特定情報をコンテンツ出力物と共に出力する請求項１０又は１１記載のコンテンツ提供システム。
【請求項１３】
前記比較手段の比較結果を表示する表示手段をさらに有する請求項１０乃至１２いずれか記載のコンテンツ提供システム。
【請求項１４】
前記比較手段の比較結果に応じて前記プリント手段の出力を補正する補正手段を有する請求項１０乃至１３いずれか記載のコンテンツ提供システム。
【請求項１５】
さらに課金手段を有し、前記比較手段の比較結果に応じて課金を調整する請求項１０乃至１４いずれか記載のコンテンツ提供システム。
【請求項１６】
色情報が付されたコンテンツを送信し、この送信されたコンテンツをプリントしてコンテンツ出力物を出力し、このプリントされたコンテンツ出力物を読み取り、送信された色情報と、読み取られた色情報とを比較するコンテンツ提供方法。
【発明の詳細な説明】
【技術分野】
【０００１】
本発明は、コンビニエンスストア等に設置された画像形成装置を用いてコンテンツを提供する画像形成システム、画像形成方法、コンテンツ提供システム及びコンテンツ提供方法に関する。
【背景技術】
【０００２】
アイドルの写真や料理のレシピ等、様々なコンテンツをコンテンツ提供主がコンテンツサーバに格納し、これらのコンテンツに対して料金を支払いコンテンツサーバからダウンロードしてプリントするコンテンツサービスが提供されている。コンテンツのプリントはコンビニエンスストア等の店舗に設定され、ネットワーク接続されたコピー／スキャン／プリントが可能なカラー複合機等の画像形成装置にて行われ、代金はカラー複合機に付随したコンキット等と呼ばれる課金装置から支払い、コンテンツ出力物を得る。
【０００３】
画像形成装置は、日々色再現状態が変化している。その色再現を調整する方法（キャリブレーション）には様々なものが提案されている。例えば、内蔵テストパターンをプリントしてカラー複合機のスキャン部で読み取らせて補正する方法が知られている（特許文献１）。
【０００４】
【特許文献１】特開平０７−２２２０１３号公報
【発明の開示】
【発明が解決しようとする課題】
【０００５】
しかしながら、コンビニエンスストア等の店舗に設定されているカラー複合機等では店員の手間や能力、又は補正するためのプリント１枚を出力するための費用等から頻繁にキャリブレーション作業を行うことが困難で、出力の色管理があまりなされていない状態にある。
したがって、コンテンツをプリントした際の出力物の色再現はコンテンツの作成者が意図したものとずれる可能性があり、また、ずれているか否かの確認もされていない。即ち、コンテンツ提供者もコンテンツ購入者も出力物の品質が確認されないままサービスの提供を受けているという問題があった。
【０００６】
本発明の目的は、コンテンツ出力物に対してコンテンツ提供者が意図した品質（色再現）での出力を保証することができる画像形成システム、画像形成方法、コンテンツ提供システム及びコンテンツ提供方法を提供することにある。
【課題を解決するための手段】
【０００７】
本発明の第１の特徴とするところは、色情報が付されたコンテンツを受け付ける受付手段と、この受付手段により受け付けられたコンテンツをプリントしてコンテンツ出力物を出力するプリント手段と、画像を読み取るスキャナ手段と、前記受付手段により受け付けられたコンテンツの色情報と、前記スキャナ手段により読み取られたコンテンツ出力物の色情報とを比較する比較手段とを有する画像形成システムにある。したがって、コンテンツに付された色情報と実際に出力された色情報とを比較することができるので、コンテンツ提供者が意図した色再現）で出力させることが可能となる。
【０００８】
好ましくは、前記受付手段により受け付けられるコンテンツの色情報は目標とする色範囲情報であって、前記比較手段は、この色範囲にコンテンツ出力物の色が入っているか否かを判定する。コンテンツの種類や対象物により色再現の要求精度が異なり、例えば顔などの色再現には高い精度が求められ、その要求精度に対応して目標とする色範囲を設定することができる。
【０００９】
好ましくは、前記受付手段により受け付けられるコンテンツには、さらに該コンテンツを特定する特定情報を含み、前記プリント手段は、該特定情報をコンテンツ出力物と共に出力する。したがって、コンテンツ出力物にはコンテンツを特定する特定情報が含まれるので、コンテンツ出力物をスキャナ手段により読み取ると、読み取ったコンテンツ出力物を特定することができ、比較すべき対象に誤りが生じるのを防止することができる。
【００１０】
好ましくは、前記比較手段の比較結果を表示する表示手段をさらに有する。比較結果を表示手段により表示することにより、色再現状態を容易に確認することができる。
【００１１】
好ましくは、前記比較手段の比較結果に応じて前記プリント手段の出力を補正する補正手段を有する。補正手段は、例えばゼログラフィ方式の画像形成装置にあっては、感光体に形成した静電パッチを読み取り、現像バイアス、露光量、トナー供給量等を制御して画質が目標値となるようプロセスコントロールを実施する。
【００１２】
好ましくは、さらに課金手段を有し、前記比較手段の比較結果に応じて使用料金を調整する。例えば上記補正手段によりプリント手段の出力を補正しても目標とする品質を得られない場合は、コンテンツ購買者にプリント料金を返金する。
【００１３】
好ましくは、前記比較手段の比較結果に応じて色調整時期を判定する色調整時期判定手段を有する。この色調整時期判定手段の判定結果に基づいて、色調整の実施計画を作成することができる。
【００１４】
さらに好ましくは、前記色調整時期判定手段の判定結果、色調整時期であると判定された場合、その旨を表示する表示手段を有する。これにより色調整時期を容易に確認することができる。
【００１５】
本発明の第２の特徴とするところは、色情報が付されたコンテンツを受信し、この受信されたコンテンツをプリントしてコンテンツ出力物を出力し、この出力されたコンテンツ出力物を読み取り、受信したコンテンツの色情報と、読み取られた色情報とを比較する画像形成方法にある。したがって、コンテンツの所定位置にコンテンツ提供者の意図する色情報と、プリント出力された実際の色情報とを比較することができる。
【００１６】
本発明の第３の特徴とするとこるは、コンテンツが格納されたコンテンツサーバと、コンテンツをプリントしてコンテンツ出力物を出力するプリント手段と、画像を読み取るスキャナ手段とを有するコンテンツ提供システムにおいて、前記コンテンツサーバから送信されたコンテンツには色情報が付され、このコンテンツの色情報と、前記スキャナ手段により読み取られたコンテンツ出力物の色情報とを比較する比較手段を有するコンテンツ提供システムにある。
【００１７】
好ましくは、色情報は、目標とする色範囲情報であり、前記比較手段は、この色範囲に前記スキャナ手段により読み取られたコンテンツ出力物の色が入っているか否かを判定する。
【００１８】
好ましくは、前記コンテンツサーバからのコンテンツには、さらに該コンテンツを特定する特定情報を含み、前記プリント手段は、該特定情報をコンテンツ出力物と共に出力する。
【００１９】
好ましくは、前記比較手段の比較結果を表示する表示手段をさらに有する。
【００２０】
好ましくは、前記比較手段の比較結果に応じて前記プリント手段の出力を補正する補正手段を有する。
【００２１】
好ましくは、さらに課金手段を有し、前記比較手段の比較結果に応じて課金を調整する。
【００２２】
本発明の第４の特徴とするところは、所定位置に所定色情報が埋め込まれたコンテンツを送信し、この送信されたコンテンツをプリントしてコンテンツ出力物を出力し、このプリントされたコンテンツ出力物を読み取り、この読み取れれた所定位置の色情報と、所定位置に埋め込まれた所定色情報とを比較するコンテンツ提供方法にある。
【発明の効果】
【００２３】
本発明によれば、コンテンツ出力物に対してコンテンツ提供者が意図した品質（色再現）で出力することが可能となる。
【発明を実施するための最良の形態】
【００２４】
次に本発明の実施形態について説明する。
図１において、本発明の第１の実施形態に係るコンテンツ提供システム１０の概要が示されている。コンテンツ提供システム１０は、画像形成システム１２を有する。画像形成システム１２は、画像形成装置である例えばカラー複合機１４を有し、このカラー複合機１４にコインキット等と呼ばれる課金装置１６が接続されて構成されている。この画像形成システム１２は、例えばコンビニエンスストア等、多数の店舗１８に設置されている。この店舗１８においては、不特定多数の人が料金を払ってカラー複合機１４を使用する。
【００２５】
カラー複合機１４は、コントロールパネルである表示部２０と、プリンタ部２２と、スキャナ部２４とを有する。表示部２０は、例えばタッチパネルになっており、表示と入力とを兼ねている。プリンタ部２２は、例えばカラーゼログラフィーエンジンを有し、スキャナ部２４でスキャンされた画像、或いは通信手段を介して送信された画像を用紙に出力する。このカラー複合機１４には、デジタルカメラに接続可能であり、デジタルカメラで撮影した画像を出力することができる。また、各店舗に設置されたカラー複合機１４は、インターネット等の通信回線２６を介して管理サーバ２８に接続されている。管理サーバ２８は、各カラー複合機１２の使用状況（課金状況）、故障状況、或いは後述するキャリブレーション実施状況等を把握し、管理する。さらに、各カラー複合機１４は、インターネット等の通信回線２６を介してコンテンツサーバ３０に接続され、コンテンツサーバ３０からコンテンツ出力物を取り出し、出力できるようになっている。
【００２６】
図５（ａ）に示すように、コンテンツサーバ３０には、コンテンツ提供者が作成した様々なコンテンツが格納されている。例えばアイドル、風景、乗り物の写真等である。また、コンテンツ提供者は一人あるいは一社ではなく、様々なコンテンツを提供する複数の提供者が存在する。コンテンツの出力品質に対する基準は、コンテンツ提供者やコンテンツの種類により異なる。そこで、コンテンツサーバ３０に格納されている各コンテンツに対して、コンテンツを特定するコンテンツコードデータ（特定情報）と共に、コンテンツスペックが付されている。
【００２７】
コンテンツはカラー複合機１４の表示部２０に例えばサムネイルの形で一覧表示される。顧客は購入したコンテンツを選択し、課金装置１６に代金を投入し、選択したコンテンツの出力を指示する。カラー複合機１４は、指定されたコンテンツをコンテンツサーバ３０からダウンロードし、プリンタ部２２で出力する。
なお、コンテンツデータは、コンテンツサーバ３０からのダウンロードではなくカラー複合機１４が自ら保有してもよい。
【００２８】
図２において、カラー複合機１４の画像処理部のハードウエア構成が示されている。カラー複合機１４は、スキャナ部２４により読み取ったＲ，Ｇ，Ｂ（ｄＲＧＢ：デバイスディペンデントＲＧＢ）信号を入力階調補正部３２に入力して階調補正し、前段色変換部３４によりＬ*，ａ*，ｂ*信号に変換する。Ｌ*，ａ*，ｂ*は、国際照明委員会（ＣＩＥ）が規定したデバイスインディペンデントな表色系である。この前段色変換部３４により変換されたＬ*，ａ*，ｂ*信号は、後段色変換部３６によりＹ，Ｍ，Ｃ，Ｋ信号に変換され、このＹ，Ｍ，Ｃ，Ｋ信号に基づいてプリンタ部２２で用紙に画像が出力される。
【００２９】
一方、前述したコンテンツサーバ３０から送信されたコンテンツは、受付部３８に受け付けられる。図３に示すように、コンテンツ３０から送信されるデータは、ヘッダ部にコンテンツを特定するコンテンツコードデータ４０、コンテンツを測定するための所定位置を示すエリアデータ４２、所定位置におけるコンテンツスペックデータ４４等を有し、このヘッダ部に続いてコンテンツデータ４６を有する。受付部３８に受け付けられたコンテンツは、制御部４８により処理され、コンテンツデータがＲＧＢであれば前段色変換部３４に送られ、この前段色変換部３４によりＬ*，ａ*，ｂ*信号に変換され、後段色変換部３６によりＹ，Ｍ，Ｃ，Ｋ信号に変換され、このＹ，Ｍ，Ｃ，Ｋ信号に基づいてプリンタ部２２で用紙にコンテンツ画像として出力される。
【００３０】
図４に示すように、プリンタ部２２から出力されたコンテンツ出力物５０には、前述したエリアデータ４２に基づいた位置にコンテンツスペックデータ４４からのスペックが設定される。エリアとスペックの設定は、例えば座標（ｘ、ｙ）を中心とした半径ｘｘ内のＬ*，ａ*，ｂ*それぞれの平均値の目標とする色再現範囲とする。スペックは、コンテンツ提供者がコンテンツ出力物５０の品質を管理するため、コンテンツ毎に複数エリアに設定することができる。例えばアイドル写真等では顔の部分が重要な管理対象となり、商品写真等では商品等の特徴となる色が重要な管理対象となる。このように管理する対象はコンテンツにより様々であり、コンテンツ提供者が自ら出力範囲スペックを設定することができる。また、コンテンツ出力物５０の周辺には、前述したコンテンツコードデータ４０に基づいてコンテンツ認識コード５２が印刷される。
【００３１】
指定エリア計測部５４は、図５（ｂ）に示すように、プリンタ部２２から出力されたコンテンツ出力物５０をスキャナ部２４により読み取らせ、指定エリアの色を計測するためのものである。即ち、指定エリア計測部５４には、制御部４８から計測エリアデータを受け取り、この計測エリアデータに基づいて指定エリアのＬ*，ａ*，ｂ*信号を取り出し、色計測データとして制御部４８に出力する。図６に示すように、色計測データは、例えば指定エリアのＬ*，ａ*，ｂ*平均値とする。また、コード解析部５６は、コンテンツ出力物５０に付されたコンテンツ認識コード５０を読み取り、コンテンツコードデータとして制御部４０に出力する。また、制御部４０は、課金装置１６を制御する。
【００３２】
図７において、コンテンツ提供サービスを実施する場合の制御フローが示されている。
まず、ステップ１０（Ｓ１０）において、出力したコンテンツをスキャナ部２４で読み取り、指定エリアの色計測を指定エリア計測部５４で実施する。次のステップ１２（Ｓ１２）においては、コンテンツ出力物に含まれているコンテンツコードをコード解析部５６で解析する。次のステップ１４（Ｓ１４）においては、受付部３８で受け付けたコンテンツコードと、コード解析部５６で解析したコンテンツコードとが一致しているか否かを判定する。一致していないと判定された場合は、ステップ１６（Ｓ１６）に進み、読み取ったコンテンツが違う旨を表示部２０に表示し、コンテンツナンバー等を表示し、再スキャンを要求する。表示部２０には、図８の画面１に示すように、例えば「プリントしたコンテンツＮｏ．ＸＸＸＸＸＸ  プリントしたコンテンツと読み取りを行ったコンテンツが違います。左下のコンテンツＮｏ．を確認後もう一度コンテンツの読み取りを行ってください。」と表示する。このステップ１６の処理を終了すると、ステップ１０に戻る。
【００３３】
一方、ステップ１４において、コンテンツが一致したと判定された場合は、ステップ１８（Ｓ１８）に進み、コンテンツ計測値はコンテンツスペックの範囲か否かを判定する。即ち、図９に示すように、各エリアにおける色再現許容スペック内に各エリアで計測したコンテンツ出力物の計測値とを比較し、コンテンツ計測値がコンテンツスペックの範囲か否かを判定する。このステップ１８において、範囲内であると判定されると、ステップ２０（Ｓ２０）に進み、コンテンツは品質を満たしている旨を表示部２０に表示する。即ち、図８の画面２に示すように、例えば「プリントしたコンテンツは適正な再現です。」と表示する。このステップ２０の処理を終了すると、ステップ１０に戻る。一方、ステップ２０において、範囲外であると判定された場合は、ステップ２２（Ｓ２２）に進み、コンテンツ計測値とスペックとの剥離は再セットアップ可能範囲内か否かを判定する。ステップ２２において、可能範囲内であると判定された場合は、ステップ２４（Ｓ２４）に進み、プリンタ部２２の自動セットアップ（例えば自動で濃度等の調整を実施する）を行いコンテンツを再出力する。このとき、表示部２０には、図８の画面３に示すように、例えば「プリントしたコンテンツは適正な再現からずれています。機械調整後にコンテンツの再出力を行いますのでしばらくお待ちください。また、現在プリントしたコンテンツはお手数ですが係員にお渡しください。」と表示する。このステップ２４の処理を終了すると、ステップ１０に戻る。
【００３４】
一方、ステップ２２において、可能範囲外であると判定された場合は、ステップ２６に進み、コンテンツは品質を満たしていない旨を表示部２０に表示し、課金装置１６を制御して代金を返却する。即ち、図８の画面４に示すように、例えば「誠に申し訳ありません。機械調整を行ってもコンテンツの適正な出力を行うことができません。コンテンツの料金を返却します。」と表示する。
【００３５】
図１０において、本発明の第２の実施形態が示されている。
この第２の実施形態は、前述した第１の実施形態と比較すると、判定主体を異にしている。即ち、第１の実施形態においては、色再現の精度判定をカラー複合機１４内で行うよう構成したが、この第２の実施形態においては、スキャナ部２４で計測された所定位置の色情報と、スキャナ部２４で読み取られたコンテンツコードとは、コンテンツサーバ３０に送られ、このコンテンツサーバ３０で色再現の精度判定を行うようにしたものである。
【００３６】
図１１乃至図１４において、本発明の第３の実施形態が示されている。
この第３の実施形態は、第１又は第２の実施形態と同じハードウエアが用いられ、ソフトウエアの構造を異にしている。この第３の実施形態においては、ステップ３０（Ｓ３０）において、出力したコンテンツをスキャナ部２４で読み取り、指定エリアの色計測を指定エリア計測部５４で実施する（図２参照）。次のステップ３２（Ｓ３２）においては、コンテンツ出力物に含まれているコンテンツコードをコード解析部５６で解析する（図２参照）。次のステップ３４（Ｓ３４）においては、受付部３８で受け付けたコンテンツコードと、コード解析部５６で解析したコンテンツコードとが一致しているか否かを判定する（図２参照）。一致していないと判定された場合は、ステップ３６（Ｓ３６）に進み、読み取ったコンテンツが違う旨を表示部２０に表示し、コンテンツナンバー等を表示し、再スキャンを要求する。このステップ３６の処理を終了すると、ステップ３０に戻る。ここまでは、第１の実施形態と同じである。
【００３７】
次のステップ３８（Ｓ３８）においては、コンテンツスペックとコンテンツ計測値を比較し、（計測値−スペックの中心値）の値に応じてメンテナンスが必要な時期を予測する。即ち、図１２に示すように、（計測値−スペックの中心値）に対するメンテナンスまでの出力可能枚数を算出する。次のステップ４０（Ｓ４０）においては、カラー複合機１４の表示部２０に、予測されたメンテナンス必要時期を表示し、あるいは管理サーバ２８又はコンテンツサーバ３０等に通知し、集中管理する。
【００３８】
図１３において、メンテナンスとしてキャリブレーションを実施する具体的方法が示されている。
まず、ステップ５０（Ｓ５０）において、前回のキャリブレーションから所定プリント枚数又は所定時間が経過したか否かを判定する。ステップ５０において、前回のキャリブレーションから所定プリント枚数又は所定時間が経過していないと判定された場合は、ステップ６２（Ｓ６２）に進み、前回のキャリブレーションから所定プリント枚数又は所定時間が経過したと判定された場合は、ステップ５２（Ｓ５２）に進む。ステップ５２においては、表示部２０にキャリブレーションの実施を促す表示を行う。即ち、図１４の画面５に示すように、例えば「キャリブレーション（画質調整）の実施時期です。お客様がキャリブレーションを実施した場合、コピー／プリント料金から○○円をサービスします。」と表示部２０に表示する。
【００３９】
ステップ５２の処理が終了すると、次のステップ５４（Ｓ４４）に進み、顧客がキャリブレーションの実施を選択したか否かを判定する。即ち、表示部２０には、図１４の画面６に示すように、例えば「キャリブレーション（画質調整）を実施しますか？」との表示と共に、実施選択ボタン５８と実施非選択ボタン６０とが現れ、顧客により実施選択ボタン５８が選択されると、実施を選択したと判定され、一方、実施非選択ボタン６０が選択されると、実施しないことを選択したと判定される。ステップ５４において、実施すると判定された場合はステップ５６（Ｓ５６）に進み、実施しないと判定された場合は、ステップ６２に進む。
【００４０】
ステップ５６においては、表示部２０にキャリブレーションの手順を順次示し、顧客手順にしたがいキャリブレーションを実施するようにする。即ち、表示部２０には、図５の画面７に示すように、まず、例えば「キャリブレーションを実施します。テストプリントボタンを押し、出てきたプリントを指示にしたがい複写ガラスにセットしてください。」との表示と共に、テストプリントボタン６２が現れる。このテストプリントボタン６２を顧客が押すと、多数の色パッチを有する基準原稿がプリンタ部２２によりプリントされる。そして、次に表示部２０には、例えば「出力されたプリントの印字面を下にして、またはプリント上の×印が左奥になるように複写ガラスにセットしてください。セットできたら読み取りボタンを押してください。」との表示と共に、読み取りボタン６４が現れる。この読み取りボタン６４を顧客が押すと、スキャナ部２４により基準原稿が読み取られる。基準原稿が読み取れると、読み取られた基準原稿の色情報と元の基準原稿の色情報とを比較して補正情報を作成し、この補正情報に基づいてプロファイル情報を書き換える。このため、次に実施する印刷には、キャリブレーションを実施した結果が反映されることになる。そして、次のステップ５８（Ｓ５８）において、キャリブレーションが正常に終了したと判定された場合は、表示部２０には、例えば「キャリブレーション(画質調整）が終了しました。お客さまのコピー／プリントを行ってください。清算時に○○円を返金します。」との表示がなされる。
【００４１】
また、ステップ５８において、キャリブレーションが正常に終了したと判定された場合は、ステップ６０（Ｓ２０）に進み、カウンタをリセットし、キャリブレーションを行ったプリント枚数又は時間を初期値に戻す。ステップ５８において、キャリブレーションが正常に終了していないと判定された場合は、ステップ５６に戻り、再度キャリブレーションを実施する。
【００４２】
ステップ６２においては、顧客自身の要求に応じてコピー／プリントを実施する。即ち、表示部２０には、図１４の画面８に示すように、例えば「ボタンを押してご希望の作業を行います。」との表示と共に、コピーボタン６６、プリントボタン６８、コンテンツ出力ボタン７０、デジタルカメラプリントボタン（デジカメプリントボタン）７２等が表示され、これらプリントボタン６８、コンテンツ出力ボタン７０、デジカメプリントボタン７２が押されることにより、所定のプリント動作がなされる。次のステップ６４（Ｓ６４）においては、コピー／プリントが終了したか否かを判定し、終了した場合は料金を演算する。即ち、図１４の画面９に示すように、表示部２０には、例えば「コピー／プリント作業を継続しますか？」との表示と共に、継続ボタン７４と終了ボタン７６とが現れ、この継続ボタン７４と終了ボタン７６とのいずれか一方が選択される。
【００４３】
次のステップ６６（Ｓ６６）においては、顧客がキャリブレーションを実施したか否かを判定する。ステップ６６において、キャリブレーションを実施したと判定された場合は、ステップ６８（Ｓ６８）に進み、所定金額が返金されるように課金処理を実施する。即ち、図１４の画面６１０に示すように、表示部２０には、例えば「課金装置の清算ボタンを押してください。お客様はキャリブレーション（画質調整）作業を実施していただきましたので、コピー／プリント料金の中から○○円を返金します。」との表示がなされる。一方、ステップ５６において、顧客がキャリブレーションを実施していないと判定された場合は、ステップ７０（Ｓ７０）に進み、図５の画面１１に示すように、例えば「課金装置の清算ボタンを押してください。」との表示のみがなされ、通常の清算処理が行われる。
【産業上の利用可能性】
【００４４】
以上述べたように、本発明は、コンビニエンスストア等を利用したコンテンツ提供システムにおいて、色再現を保証する必要があるものに用いることができる。
【図面の簡単な説明】
【００４５】
【図１】本発明の実施形態に係るコンテンツ提供システムを示す構成図である。
【図２】本発明の実施形態に用いたカラー複合機の画像処理部のハードウエア構成を示すブロック図である。
【図３】本発明の実施形態におけるコンテンツ送信データを示すデータ図である。
【図４】本発明の実施形態に係るコンテンツ提供システムを示し、（ａ）はコンテンツをダウンロードする状態を示し、（ｂ）はコンテンツ出力物をスキャナ部で読み取る状態を示す構成図である。
【図５】本発明の実施形態に係る画像形成システムを示す構成図である。
【図６】本発明の実施形態におけるコンテンツ出力物の計測部分を示す図である。
【図７】本発明の実施形態に用いたカラー複合機の処理を示すフローチャートである。
【図８】本発明の実施形態における画面推移を示す図である。
【図９】本発明の実施形態において、許容値と測定値との比較を説明するための説明図である。
【図１０】本発明の第２の実施形態に係るコンテンツ提供システムを示す構成図である。
【図１１】本発明の第３におけるカラー複合機のメンテナンス計画処理を示すフローチャートである。
【図１２】本発明の第３の実施形態に用いたメンテナンスを計画するためのリストである。
【図１３】本発明の第３の実施形態に用いたカラー複合機のメンテナンス実行処理を示すフローチャートである。
【図１４】本発明の第３の実施形態における画面推移を示す図である。
【符号の説明】
【００４６】
１０  コンテンツ提供システム
１２  画像形成システム
１４  カラー複合機
２０  表示部
２２  プリンタ部
２４  スキャナ部
３０  コンテンツサーバ
３４  前段色変換部
３６  後段色変換部
３８  受付部
４０  コンテンツコード
４４  コンテンツスペック
４８  制御部
５０  コンテンツ出力物
５４  指定エリア計測部
５６  コード解析部
【図１】
2006080858.tif 000003
【図２】
2006080858.tif 000004
【図３】
2006080858.tif 000005
【図４】
2006080858.tif 000006
【図５】
2006080858.tif 000007
【図６】
2006080858.tif 000008
【図７】
2006080858.tif 000009
【図８】
2006080858.tif 000010
【図９】
2006080858.tif 000011
【図１０】
2006080858.tif 000012
【図１１】
2006080858.tif 000013
【図１２】
2006080858.tif 000014
【図１３】
2006080858.tif 000015
【図１４】
2006080858.tif 000016